【手続補正書】
【提出日】平成26年3月24日(2014.3.24)
【手続補正１】
【補正対象書類名】明細書
【補正対象項目名】０００７
【補正方法】変更
【補正の内容】
【０００７】
上記目的を達成するため、本発明の一態様の情報処理装置は、
表示画面に積層されたタッチパネルに対する入力操作に基づいて情報処理を行う情報処理装置において、
第２の制御を実行する必要がある所定の条件を満たすか否かを判別する判別手段と、
前記所定の条件を満たすと判別された場合に、所定のオブジェクトを前記表示画面の所定の位置に表示させる表示制御手段と、
前記タッチパネルに対する物体の接触又は近接の操作を、前記タッチパネルに対する入力操作として受け付ける入力操作受付手段と、
表示されている前記所定のオブジェクトの位置に対して前記入力操作がなされた場合に、前記所定のオブジェクトに対応する第１の制御を実行する操作制御手段と、
実行される前記第１の制御と並行して、前記入力操作がなされた位置に基づいて、前記所定のオブジェクトに対応する前記第１の制御とは異なる前記第２の制御を実行するための制御情報を取得する情報取得手段と、
前記所定のオブジェクトが表示されている場合であって、当該所定のオブジェクト以外への前記タッチパネルに対する前記入力操作がなされた場合に、当該入力操作に対応する前記第１の制御及び前記第２の制御とは異なる処理を実行する処理実行手段と、
を備えることを特徴とする情報処理装置。
上記目的を達成するため、本発明の他の一態様の情報処理装置は、
表示画面に積層されたタッチパネルに対する入力操作に基づいて情報処理を行う情報処理装置において、
所定のオブジェクトを前記表示画面の所定の位置に表示させる表示制御手段と、
前記タッチパネルに対する物体の接触又は近接の操作を、前記タッチパネルに対する入力操作として受け付ける入力操作受付手段と、
表示されている前記所定のオブジェクトの位置に対して前記入力操作がなされた場合に、前記所定のオブジェクトに対応する第１の制御を実行する操作制御手段と、
所定の条件を満たすか否かを判別する判別手段と、
表示されている前記所定のオブジェクトの位置に対して前記入力操作がなされた場合であって、前記所定の条件を満たすと判別された場合に、前記入力操作がなされた位置に基づいて、前記所定のオブジェクトに対応する前記第１の制御とは異なる第２の制御を実行するための制御情報を取得する情報取得手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
表示画面に積層されたタッチパネルに対する入力操作に基づいて情報処理を行う情報処理装置において、
第２の制御を実行する必要がある所定の条件を満たすか否かを判別する判別手段と、
前記所定の条件を満たすと判別された場合に、所定のオブジェクトを前記表示画面の所定の位置に表示させる表示制御手段と、
前記タッチパネルに対する物体の接触又は近接の操作を、前記タッチパネルに対する入力操作として受け付ける入力操作受付手段と、
表示されている前記所定のオブジェクトの位置に対して前記入力操作がなされた場合に、前記所定のオブジェクトに対応する第１の制御を実行する操作制御手段と、
実行される前記第１の制御と並行して、前記入力操作がなされた位置に基づいて、前記所定のオブジェクトに対応する前記第１の制御とは異なる前記第２の制御を実行するための制御情報を取得する情報取得手段と、
前記所定のオブジェクトが表示されている場合であって、当該所定のオブジェクト以外への前記タッチパネルに対する前記入力操作がなされた場合に、当該入力操作に対応する前記第１の制御及び前記第２の制御とは異なる処理を実行する処理実行手段と、
を備えることを特徴とする情報処理装置。
【請求項２】
表示画面に積層されたタッチパネルに対する入力操作に基づいて情報処理を行う情報処理装置において、
所定のオブジェクトを前記表示画面の所定の位置に表示させる表示制御手段と、
前記タッチパネルに対する物体の接触又は近接の操作を、前記タッチパネルに対する入力操作として受け付ける入力操作受付手段と、
表示されている前記所定のオブジェクトの位置に対して前記入力操作がなされた場合に、前記所定のオブジェクトに対応する第１の制御を実行する操作制御手段と、
所定の条件を満たすか否かを判別する判別手段と、
表示されている前記所定のオブジェクトの位置に対して前記入力操作がなされた場合であって、前記所定の条件を満たすと判別された場合に、前記入力操作がなされた位置に基づいて、前記所定のオブジェクトに対応する前記第１の制御とは異なる第２の制御を実行するための制御情報を取得する情報取得手段と、
を備えることを特徴とする情報処理装置。
【請求項３】
前記表示制御手段は、前記所定の位置として、前記表示画面のうちの前記第２の制御を実行するために適切な位置に、前記所定のオブジェクトを表示させることを特徴とする請求項１又は２に記載の情報処理装置。
【請求項４】
前記第２の制御は、前記タッチパネルに対する入力操作の位置を補正するためキャリブレーションの制御であって、
前記制御情報は、前記キャリブレーションの制御を行うための位置の情報である、
ことを特徴とする請求項１乃至３のうち何れか１項に記載の情報処理装置。
【請求項５】
前記情報取得手段が前記制御情報を取得してからの時間を計時する計時手段をさらに備え、
前記判別手段は、前記計時手段により所定の時間が計時された際に前記所定の条件を満たすと判別することを特徴とする請求項１乃至４のうち何れか１項に記載の情報処理装置。
【請求項６】
取得された前記制御情報を記憶する制御情報記憶手段をさらに備え、
前記情報取得手段は、前記制御情報記憶手段に記憶されている前記制御情報と、前記情報取得手段により今回取得された制御情報とが、所定の閾値以上相違する場合には、前記情報取得手段により取得された制御情報を記憶しないことを特徴とする請求項１乃至５のうち何れか１項に記載の情報処理装置。
【請求項７】
前記所定のオブジェクトは所定の面積を有し、
取得された前記制御情報と、前記所定のオブジェクトが表示されている位置の情報及び前記入力操作がなされた位置の情報とのずれ量とに基づいて、前記入力操作がなされた位置を補正する制御を実行する入力位置補正手段をさらに備えることを特徴とする請求項１乃至６のうち何れか１項に記載の情報処理装置。
【請求項８】
前記表示制御手段は、前記所定のオブジェクトを前記表示画面の外方から徐々にスライドして表示させることを特徴とする請求項１に記載の情報処理装置。
【請求項９】
表示画面に積層されたタッチパネルに対する入力操作に基づいて行う情報処理方法であって、
第２の制御を実行する必要がある所定の条件を満たすか否かを判別する判別ステップと、
前記所定の条件を満たすと判別された場合に、所定のオブジェクトを前記表示画面の所定の位置に表示させる表示制御ステップと、
前記タッチパネルに対する物体の接触又は近接の操作を、前記タッチパネルに対する入力操作として受け付ける入力操作受付ステップと、
表示されている前記所定のオブジェクトの位置に対して前記入力操作がなされた場合に、前記所定のオブジェクトに対応する第１の制御を実行する操作制御ステップと、
実行される前記第１の制御と並行して、前記入力操作がなされた位置に基づいて、前記所定のオブジェクトに対応する前記第１の制御とは異なる前記第２の制御を実行するための制御情報を取得する情報取得ステップと、
前記所定のオブジェクトが表示されている場合であって、当該所定のオブジェクト以外への前記タッチパネルに対する前記入力操作がなされた場合に、当該入力操作に対応する前記第１の制御及び前記第２の制御とは異なる処理を実行する処理実行ステップと、
を含むことを特徴とする情報処理方法。
【請求項１０】
表示画面に積層されたタッチパネルに対する入力操作に基づいて情報処理を行う情報処理装置を制御するコンピュータに、
第２の制御を実行する必要がある所定の条件を満たすか否かを判別する判別機能と、
前記所定の条件を満たすと判別された場合に、所定のオブジェクトを前記表示画面の所定の位置に表示させる表示制御機能、
前記タッチパネルに対する物体の接触又は近接の操作を、前記タッチパネルに対する入力操作として受け付ける入力操作受付機能、
表示されている前記所定のオブジェクトの位置に対して前記入力操作がなされた場合に、前記所定のオブジェクトに対応する第１の制御を実行する操作制御機能、
実行される前記第１の制御と並行して、前記入力操作がなされた位置に基づいて、前記所定のオブジェクトに対応する前記第１の制御とは異なる前記第２の制御を実行するための制御情報を取得する情報取得機能、
前記所定のオブジェクトが表示されている場合であって、当該所定のオブジェクト以外への前記タッチパネルに対する前記入力操作がなされた場合に、当該入力操作に対応する前記第１の制御及び前記第２の制御とは異なる処理を実行する処理実行機能、
を実現させることを特徴とするプログラム。
【請求項１１】
表示画面に積層されたタッチパネルに対する入力操作に基づいて行なわれる情報処理方法であって、
所定のオブジェクトを前記表示画面の所定の位置に表示させる表示制御ステップと、
前記タッチパネルに対する物体の接触又は近接の操作を、前記タッチパネルに対する入力操作として受け付ける入力操作受付ステップと、
表示されている前記所定のオブジェクトの位置に対して前記入力操作がなされた場合に、前記所定のオブジェクトに対応する第１の制御を実行する操作制御ステップと、
所定の条件を満たすか否かを判別する判別ステップと、
表示されている前記所定のオブジェクトの位置に対して前記入力操作がなされた場合であって、前記所定の条件を満たすと判別された場合に、前記入力操作がなされた位置に基づいて、前記所定のオブジェクトに対応する前記第１の制御とは異なる第２の制御を実行するための制御情報を取得する情報取得ステップと、
を含むことを特徴とする情報処理方法。
【請求項１２】
表示画面に積層されたタッチパネルに対する入力操作に基づいて情報処理を行う情報処理装置を制御するコンピュータに、
所定のオブジェクトを前記表示画面の所定の位置に表示させる表示制御機能、
前記タッチパネルに対する物体の接触又は近接の操作を、前記タッチパネルに対する入力操作として受け付ける入力操作受付機能、
表示されている前記所定のオブジェクトの位置に対して前記入力操作がなされた場合に、前記所定のオブジェクトに対応する第１の制御を実行する操作制御機能、
所定の条件を満たすか否かを判別する判別機能、
表示されている前記所定のオブジェクトの位置に対して前記入力操作がなされた場合であって、前記所定の条件を満たすと判別された場合に、前記入力操作がなされた位置に基づいて、前記所定のオブジェクトに対応する前記第１の制御とは異なる第２の制御を実行するための制御情報を取得する情報取得機能、
を実現させることを特徴とするプログラム。